(57)【要約】【課題】  作業用の足場を設置することなく構築することが可能な外壁の構築方法を提供する。【解決手段】  外壁パネル３と、外壁パネル３の裏面側の少なくとも周縁部に一体に設けられる補強板４とからなる繊維強化プラスチック製の型枠部材２を用い、基礎の上部に、複数の型枠部材２を裏面側から組み立てて構成した外側型枠１を建て込み、外側型枠１の裏面側に間隔をおいて内側型枠３１を建て込み、内側型枠３１を外側型枠１の補強板４に連結手段１６を介して連結し、外側型枠１と内側型枠３１との間にコンクリート３０を打設し、コンクリート３０の固化後に、連結手段１６を取り外し、内側型枠３１を解体して撤去し、外側型枠１を残置させる。【選択図】        図１
2013002142.tif 000002
【特許請求の範囲】
【請求項１】
外壁パネルと、該外壁パネルの裏面側の少なくとも周縁部に一体に設けられる補強板とからなる繊維強化プラスチック製の型枠部材を用い、基礎の上部に、複数の前記型枠部材を裏面側から組み立てて構成した外側型枠を建て込み、該外側型枠の裏面側に間隔をおいて内側型枠を建て込み、該内側型枠を前記外側型枠の前記補強板に連結手段を介して連結し、前記外側型枠と前記内側型枠との間にコンクリートを打設し、該コンクリートの固化後に、前記連結手段を取り外し、前記内側型枠を解体して撤去し、前記外側型枠を残置させることを特徴とする外壁の構築方法。
【請求項２】
前記連結手段は、前記補強板に取り付けられる固定金具と、前記内側型枠を貫通して一端が前記固定金具に着脱可能に取り付けられ、他端が前記内側型枠から突出するセパレータと、該セパレータの他端に取り付けられるフォームタイとからなり、
前記コンクリートの固化後に、前記固定金具を残置させ、前記セパレータ及び前記フォームタイを取り外すことを特徴とする請求項１に記載の外壁の構築方法。
【請求項３】
前記固定金具と前記内側型枠との間に断熱パイプを介装させ、該断熱パイプの内側に前記セパレータを挿通させた状態で該セパレータの一端を前記固定金具に取り付け、
前記コンクリートの固化後に、前記固定金具及び前記断熱パイプを残置させることを特徴とする請求項２に記載の外壁の構築方法。
【請求項４】
前記外側型枠の各型枠部材の補強板には、他の部分よりも肉厚の節部が設けられていることを特徴とする請求項１から３の何れか１項に記載の外壁の構築方法。
【請求項５】
前記外側型枠の各型枠部材の裏面側に断熱材を設けたことを特徴とする請求項１から４の何れか１項に記載の外壁の構築方法。
【発明の詳細な説明】
【技術分野】
【０００１】
本発明は、外壁の構築方法に関し、特に、都市部等の建物が密集する地域の狭小地等にＲＣ造（鉄筋コンクリート造）の建物を建設するのに有効な外壁の構築方法に関する。
【背景技術】
【０００２】
一般に、ＲＣ造の建物を建設する場合、建設地に、型枠工事、鉄筋工事、コンクリート工事等を経ることにより基礎を構築するとともに、基礎によって支持された外壁を構築し、外壁の構築後に、外壁の外面に外装を施し、内面に内装を施している。
【０００３】
例えば、基礎を構築する部分に木製、鋼製、又はプラスチック製の型枠を建て込み、この型枠の内部に鉄筋を配筋してコンクリートを打設し、コンクリートの固化後に型枠を解体して撤去することにより、基礎を構築する。そして、基礎の構築後に、基礎の内側及び外側に作業用の足場を設置し、この足場を利用して外壁用の型枠を設置し、この型枠の内部に鉄筋を配筋してコンクリートを打設し、コンクリートの固化後に型枠を解体して撤去することにより、基礎によって支持された外壁を構築している。
【０００４】
ところで、建設地が都市部の建物が密集する地域の狭小地等の場合、隣接する敷地の既存の建物との関係で、外壁を構築する部分の外側に作業用の足場を設置するスペースを確保することができないことがある。そのような場合には、足場を利用しての外壁用の型枠の設置、型枠の内部への鉄筋の配筋、コンクリートの打設、型枠の解体、撤去、コンクリート固化後の外壁面の仕上げ等の作業を行うことができない。このため、上記のような方法では、ＲＣ造の建物の建設可能な場所が作業用の足場を設置することができる場所に制限されてしまう。
【０００５】
一方、上記のような問題に対処するため、外壁を構築する部分の外側に足場を設置することなく、外壁の構築を可能にした施工方法が特許文献１に記載されている。
この施工方法は、外壁用の型枠を兼用する外壁仕上げパネルを用い、この外壁仕上げパネルに下地材を取り付け、この状態で外壁仕上げパネルを外壁を構築する部分の外側に建て込み、外壁仕上げパネルにセパレータ及びフォームタイを介して内壁型枠パネルを固定し、外壁仕上げパネルと内壁型枠パネルとの間にコンクリートを打設し、コンクリートの固化後に内壁型枠パネルを解体して撤去することにより、外壁を構築するように構成したものである。
【０００６】
特許文献１に記載の施工方法は、外壁を構築する部分の外側に足場を設置する必要がないので、都市部の建物が密集する地域の狭小地等のように、隣接する敷地の既存の建物との関係で、外壁を構築する部分の外側に足場を設置するスペースが確保できないような場所においても、ＲＣ造の建物の外壁を構築することができる。
【先行技術文献】
【特許文献】
【０００７】
【特許文献１】特開平６−３４６５９０号公報
【発明の概要】
【発明が解決しようとする課題】
【０００８】
しかし、下地材を地組みする作業（胴縁材につなぎ材をボルト等によって取り付ける作業）、及び地組みした下地材に外壁仕上げパネルをドリルビスによって取り付ける作業が必要になり、それらの作業に手間がかかる。
また、外壁仕上げパネル、下地材（胴縁材、つなぎ材）、コンクリート躯体へのアンカー、及びセパレータが金属製であるため、それらが熱橋として作用することになり、外壁の断熱性が低下するとともに、結露やカビの発生の原因になる。
【０００９】
本発明は、上記のような従来の問題に鑑みなされたものであって、ＲＣ建物の建設地が都市部の建物が密集する地域の狭小地等のように、隣接する敷地の既存の建物との関係で、外壁を構築する部分の外側に作業用の足場を設置することができない場所であっても、足場を設置することなく外壁を構築することができるとともに、外壁の構築に要する時間と手間と費用を削減することができ、さらに、断熱性が高く、結露やカビの発生を確実に防止することができる、外壁の構築方法を提供することを目的とする。
【課題を解決するための手段】
【００１０】
上記のような課題を解決するために、本発明は、以下のような手段を採用している。
すなわち、本発明は、外壁パネルと、該外壁パネルの裏面側の少なくとも周縁部に一体に設けられる補強板とからなる繊維強化プラスチック製の型枠部材を用い、基礎の上部に、複数の前記型枠部材を裏面側から組み立てて構成した外側型枠を建て込み、該外側型枠の裏面側に間隔をおいて内側型枠を建て込み、該内側型枠を前記外側型枠の前記補強板に連結手段を介して連結し、前記外側型枠と前記内側型枠との間にコンクリートを打設し、該コンクリートの固化後に、前記連結手段を取り外し、前記内側型枠を解体して撤去し、前記外側型枠を残置させることを特徴とする。
【００１１】
本発明の外壁の構築方法によれば、外壁を構築する部分の外側に足場を設置することなく、基礎の上部に複数の型枠部材からなる外側型枠を建て込み、この外側型枠を利用して外壁を構築することができる。従って、建物の建設地が都市部の建物が密集する地域の狭小地等のように、隣接する敷地の既存の建物との関係で、外壁を構築する部分の外側に作業用の足場を設置するスペースを確保できないような場所であっても、外壁を構築することができる。
また、外側型枠の各型枠部材の外壁パネルをそのまま外壁面として利用することができるので、コンクリートの固化後に外壁面の仕上げ等の作業が不要となり、外壁の構築に要する時間と手間と費用を大幅に削減することができる。
さらに、外側型枠の各型枠部材は繊維強化プラスチック製であり、また、外側型枠に内側型枠を固定する連結手段はコンクリートの固化後に取り外すことになるので、外側型枠、及び連結手段が熱橋として作用するようなことはなく、外壁の断熱性を確保することができ、結露やカビの発生を確実に防止することができる。
【００１２】
また、本発明において、前記連結手段は、前記補強板に取り付けられる固定金具と、前記内側型枠を貫通して一端が前記固定金具に着脱可能に取り付けられ、他端が前記内側型枠から突出するセパレータと、該セパレータの他端に取り付けられるフォームタイとからなり、前記コンクリートの固化後に、前記固定金具を残置させ、前記セパレータ及び前記フォームタイを取り外すこととしてもよい。
【００１３】
本発明の外壁の構築方法によれば、連結手段の固定金具をコンクリート中に残置させても、固定金具に取り付けられるセパレータ、及びセパレータに取り付けられるフォームタイを取り外すことになるので、連結手段の固定金具、セパレータ、及びフォームタイが熱橋として作用するようなことはない。従って、外壁の断熱性を確保することができ、結露やカビの発生を確実に防止することができる。
【００１４】
さらに、本発明において、前記固定金具と前記内側型枠との間に断熱パイプを介装させ、該断熱パイプの内側に前記セパレータを挿通させた状態で該セパレータの一端を前記固定金具に取り付け、前記コンクリートの固化後に、前記固定金具及び前記断熱パイプを残置させることとしてもよい。
【００１５】
本発明の外壁の構築方法によれば、固定金具と内側型枠との間に断熱パイプを介装させ、この断熱パイプをコンクリート中に残置させたので、固定金具が熱橋として作用するのを更に効果的に防止することができる。
【００１６】
さらに、本発明において、前記外側型枠の各型枠部材の補強板には、他の部分よりも肉厚の節部が設けられていることとしてもよい。
【００１７】
本発明の外壁の構築方法によれば、補強板の節部により、外側型枠の各型枠部材のコンクリートとの付着力を高めることができるので、外側型枠がその裏面側に打設されるコンクリート部分から剥離するのを確実に防止でき、長期に亘って外側型枠とコンクリートとを一体化した状態に保ち続けることができる。
【００１８】
さらに、本発明において、前記外側型枠の各型枠部材の裏面側に断熱材を設けたこととしてもよい。
【００１９】
本発明の外壁の構築方法によれば、外側型枠の各型枠部材の断熱性を高めることができるので、外壁の断熱性を更に高めることができる。
【発明の効果】
【００２０】
以上、構成したように、本発明によれば、作業用の足場を設置することなく、基礎の上部に複数の型枠部材からなる外側型枠を建て込み、この外側型枠を利用して外壁を構築することができるので、建物の建設地が都市部の建物が密集する地域の狭小地等のように、隣接する敷地の既存の建物との関係で、外壁を構築する部分の外側に作業用の設置するスペースを確保できないような場所であっても、ＲＣ造の建物の外壁を構築することができる。
また、外側型枠の各型枠部材の外壁パネルをそのまま外壁面とすることができるので、外壁の構築後に外壁面の仕上げ等の作業が不要となり、外壁の構築に要する時間と手間と費用を大幅に削減することができる。
さらに、外側型枠及び連結手段が熱橋として作用することがないので、外壁の断熱性を確保することができ、結露やカビの発生を確実に防止することができる。
【図面の簡単な説明】
【００２１】
【図１】本発明による外壁の構築方法の一実施の形態を示した概略図であって、基礎の上部に外側型枠を建て込んだ状態を示した概略図である。
【図２】外側型枠の横方向に隣接する型枠部材の連結手順を示した概略図である。
【図３】外側型枠と内側型枠と連結手段との関係を示した概略断面図である。
【発明を実施するための形態】
【００２２】
以下、図面を参照しながら、本発明の実施の形態について説明する。
図１〜図３には、本発明による外壁の構築方法の一実施の形態が示されている。本実施の形態の外壁の構築方法は、都市部等の建物が密集する地域の狭小地等にＲＣ造の建物を建設する場合に有効であって、隣接する敷地の既存の建物との関係で、外壁を構築する部分の外側に作業用の足場を設置することができないような場所であっても、ＲＣ造の建物の外壁を構築することができるように構成したものである。
【００２３】
すなわち、本実施の形態の外壁の構築方法は、まず、図１に示すように、ＲＣ造の建物の建設地の基礎４０を構築する部分に、所定の間隔をおいて基礎用の型枠を設置し、両型枠間に鉄筋を所定のパターンで配筋してコンクリートを打設し、コンクリートの固化後に両型枠を解体して撤去することにより、所定の形状の基礎４０を構築する。
なお、図１においては、基礎４０のみを図示し、基礎用の型枠、及び鉄筋の図示を省略している。
【００２４】
基礎用の型枠としては、木製、プラスチック製、鋼製の各種の型枠を用いることができる。また、両型枠間に鉄筋を配筋する際に、両型枠間の所定の位置にアンカーボルト（図示せず）を配置しておき、このアンカーボルトを基礎４０の上面から突出させ、このアンカーボルトによって後述する外側型枠１の各型枠部材２を基礎４０の上部に固定する。
【００２５】
次に、図１〜図３に示すように、繊維強化プラスチック製の型枠部材２を用い、基礎４０の上部（外壁３５を構築する部分）に、複数の型枠部材２を表面が外側（建物の外側）を向くように横方向に一列に隙間なく並べて配置し、各型枠部材２を基礎４０の上部にアンカーボルトによって固定し、横方向に隣接する型枠部材２、２間をボル１３、ナット１４によって連結することにより、基礎４０の上部に複数の型枠部材２からなる外側型枠１を建て込む。
なお、型枠部材２、２間を連結するボルト１３、ナット１４は、後述する連結手段１６の固定金具１７を型枠部材２の裏面側に連結するボルト１３、ナット１４を兼用している。
【００２６】
この場合、構築する外壁３５の大きさ（高さ）に応じて、基礎４０の上部に、複数の型枠部材２を横方向に一列に配置したものを一段、又は複数段（本実施の形態では一段）に配置する。複数段に配置する場合には、上下方向に隣接する型枠部材２、２間をボルト１３、ナット１４によって連結する。
【００２７】
型枠部材２は、繊維強化プラスチックを成形材料として、各種の成形方法によって板状に成形したものであって、図１及び図２に示すように、表面が平滑面に形成された長方形板状の外壁パネル３と、外壁パネル３の裏面側の周縁部に一体に設けられた長方形板状の補強板４（上板５、下板６、及び左右の側板７、８）とから構成されている。
【００２８】
繊維強化プラスチックとしては、例えば、ガラス繊維、炭素繊維、ボロン繊維、アラミド繊維等を強化材とし、不飽和ポリエステル、エポキシ樹脂等の熱硬化性樹脂をマトリックスとしたものが挙げられる。本実施の形態においては、ガラス繊維を強化材とし、不飽和ポリエステルをマトリックスとした繊維強化プラスチックを成形材料としている。
【００２９】
型枠部材２の上板５、下板６、及び左右の側板７、８には、所定の間隔ごとに複数箇所にボルト挿通用孔９が設けられている。図１に示すように、下板６のボルト挿通用孔９を利用することにより、基礎４０の上部に型枠部材２をアンカーボルトによって固定することができる。また、上下板５、６のボルト挿通用孔９を利用することにより、上下方向に隣接する型枠部材２、２同士をボルト１３、ナット１４により連結することができる。さらに、左右の側板７、８のボルト挿通用孔９を利用することにより、横方向に隣接する型枠部材２、２同士をボルト１３、ナット１４により連結することができる。
【００３０】
型枠部材２の外壁パネル３の裏面側の左右の側板７、８間には、図１〜図３に示すように、左右の側板７、８と平行をなすように複数の長方形板状の補強リブ１０が所定の間隔ごとに一体に設けられ、この複数の補強リブ１０と補強板４（上板５、下板６、左右の側板７、８）とによって外壁パネル３が補強され、コンクリート３０の打設時の圧力によって外壁パネル３が変形、破損等するのを防止している。
なお、型枠部材２の幅が狭く、周縁部の補強板４（上板５、下板６、左右の側板７、８）だけで外壁パネル３を十分に補強することができる場合には、外壁パネル３の裏面側に補強リブ１０を設ける必要はない。
【００３１】
型枠部材２の上板５、下板６、左右の側板７、８の先端部、及び各補強リブ１０の先端部は、他の部分よりも肉厚の節部１１に形成され、この節部１１によって型枠部材２と型枠部材２の裏面側に打設されるコンクリート３０との付着力が高められ、型枠部材２がコンクリート３０から剥離するのが防止される。
【００３２】
上記のような構成の外側型枠１を基礎４０の上部に建て込むには、図１及び図２に示すように、外壁３５を構築する部分の内側から作業を行う。
具体的には、基礎４０の上部に、複数の型枠部材２を外壁パネル３の表面が外側を向くように横方向に隙間なく一列に並べて配置し、各型枠部材２の下板６のボルト挿通用孔９内に基礎４０側のアンカーボルトを挿通させ、下板６の上面側に突出させたアンカーボルトの部分にワッシャを介してナットを螺合させて締め付けることにより、各型枠部材２を基礎４０の上部に固定する。
【００３３】
そして、図２及び図３に示すように、横方向に隣接する型枠部材２、２の左右の側板７、８のボルト挿通用孔９、９間にボルト１３を挿通させ、このボルト１３にワッシャ１４を介してナット１５を螺合させて締め付けることにより、横方向に隣接する型枠部材２、２同士を連結する。
【００３４】
さらに、型枠部材２を複数段に設ける場合には、上下方向に隣接する型枠部材２、２の上下板５、６のボルト挿通用孔９、９間にボルト１３を挿通させ、このボルト１３にワッシャ１５を介してナット１４を螺合させて締め付けることにより、上下方向に隣接する型枠部材２、２同士を連結する。
【００３５】
そして、基礎４０の上部に外側型枠１を建て込んだ後に、図１及び図３に示すように、外側型枠１の内側に内側型枠３１を所定の間隔をおいて配置し、内側型枠３１を外側型枠１の型枠部材２の裏面側に連結手段１６によって連結し、外側型枠１と内側型枠３１との間を所定の間隔に固定する。
【００３６】
内側型枠３１としては、木製、鋼製、プラスチック製の各種の型枠を用いることができる。また、上記の外側型枠１の型枠部材２を用い、この型枠部材２の外壁パネル３の表面側を外側型枠１に向けるように配置することにより、内側型枠３１を構成してもよい。
【００３７】
連結手段１６は、図２及び図３に示すように、外側型枠１の裏面側に固定される固定金具１７と、内側型枠３１を外面側から内面側に貫通して、一端が固定金具１７に着脱可能に取り付けられ、他端が内側型枠３１の外面側に突出するセパレータ２２と、セパレータ２２の一端を固定金具１７に固定する固定ナット２４と、セパレータ２２の他端側に取り付けられて、内側型枠３１のセパレータ２２の貫通部分を閉塞するプラスチックコーン２６と、セパレータ２２の内側型枠３１の外面側に突出する他端に着脱可能に取り付けられるフォームタイ２５とを備えている。
【００３８】
固定金具１７は、帯状の金属板を中央部からコ形状に折り曲げて構成したものであって、中央部にセパレータ２２の一端を挿通させるセパレータ挿通用孔１９が設けられる基部１８と、基部１８の両端に一体に設けられるとともに、先端部にボルト挿通用孔２１が設けられる一対の取付部２０、２０とを備えている。
【００３９】
固定金具１７は、両取付部２０、２０間に隣接する型枠部材２、２の左右の側板７、８を密着した状態で挿入させ、両取付部２０、２０のボルト挿通用孔２１、２１と左右の側板７、８のボルト挿通用孔９、９との間にボルト１３を挿通させ、ボルト１３にワッシャ１５を介してナット１４を螺合させて締め付けることにより、両型枠部材２、２の裏面側に取り付けられる。固定金具１７、及び固定金具２０を型枠部材２、２に取り付けるボルト１３、ナット１４、ワッシャ１５は、外壁３５を構成するコンクリート３０の内部に残置される。
【００４０】
セパレータ２２の一端を、固定金具１７の基部１８のセパレータ挿通用孔１９内を挿通させて固定金具１７の内面側に突出させ、その内面側に突出させた一端に固定ナット２４を螺合させて締め付けることにより、セパレータ２２の一端が固定金具１７に取り付けられる。また、セパレータ２２の他端側に予めプラスチックコーン２６を取り付けておき、この状態でセパレータの２２の他端を内側型枠３１の外面側に突出させ、その外面側に突出させた他端にフォームタイ２５を螺合させて締め付けることにより、セパレータ２２の他端が内側型枠３１に固定され、外側型枠１と内側型枠３１との間が所定の間隔に固定される。
【００４１】
この場合、図２及び図３に示すように、固定金具１７とプラスチックコーン２６との間に、塩化ビニル管２８の内側に筒状の発泡断熱材２９を設けた断熱パイプ２７を介装させ、この断熱パイプ２７の内側にセパレータ２２を挿通させ、この断熱パイプ２７を外壁３５を構成するコンクリート３０の内部に残置させてもよい。
【００４２】
なお、建設地が寒冷地の場合には、必要に応じて、図３に示すように、外側型枠１の各型枠部材２の裏面側に断熱材１２を設け、外側型枠１に断熱性を付与することにより、外壁３５の断熱性を高めるように構成してもよい。
【００４３】
そして、図３に示すように、外側型枠１と内側型枠３１との間に所定のパターンで鉄筋を配筋するとともに、両型枠１、３１間にコンクリート３０を打設し、コンクリート３０の固化後に、連結手段１６のフォームタイ２５、及びセパレータ２２を取り外し、内側型枠３１を解体して撤去することにより、外側型枠１とコンクリート３０とを一体化した外壁３５を構築することができる。なお、図３においては、配筋の図示を省略している。
【００４４】
上記のように構成した本実施の形態の外壁の構築方法にあっては、基礎４０の上部に、複数の型枠部材２を横方向に一列に隙間なく並べて配置して、各型枠部材２を裏面側から、基礎４０の上部にアンカーボルトによって固定するとともに、横方向に隣接する型枠部材２、２同士を裏面側からボルト１３、ナット１４によって一体に連結し、さらに、複数段に型枠部材２を配置する場合には、裏面側から上下方向に隣接する型枠部材２、２同士をボルト１３、ナット１４によって連結することにより、基礎４０の上部に外側型枠１を建て込むように構成したので、外壁３５を構築する部分の外側に作業用の足場を設置することなく、外側型枠１を建て込むことができる。
【００４５】
従って、都市部等の建物が密集する地域の狭小地等にＲＣ造の建物を建設する場合に、隣接する敷地の既存の建物との関係で、外壁３５を構築する部分の外側に作業用の足場を設置することができないような場所であっても、ＲＣ造の建物の外壁３５を構築することができる。
【００４６】
また、外側型枠１を構成する型枠部材２の外壁パネル３を外壁３５の外壁面としてそのまま利用することができるので、外壁３５の構築後に、外壁面の仕上げ等の作業が不要となり、外壁３５の構築に要する時間と手間と費用を大幅に削減することができる。
【００４７】
さらに、外側型枠１の型枠部材２を繊維強化プラスチック製とするとともに、連結手段１６の固定金具１７を隣接する型枠部材２、２の裏面側の左右の側板７、８にボルト１３、ナット１４によって取り付け、コンクリート３０の固化後に、連結手段１６のセパレータ２２からフォームタイ２５を取り外し、固定金具１７からセパレータ２２を取り外しているので、外側型枠１、固定金具１７、ボルト１３、ナット１４、セパレータ２２、及びフォームタイ２５が熱橋として作用するようなことはない。従って、外壁３５の断熱性を確保することができ、結露やカビの発生を確実に防止することができる。
【００４８】
さらに、連結手段１６の固定金具１７と内側型枠３１との間に断熱パイプ２７を介装させ、この断熱パイプ２７をコンクリート３０の内部に残置させた場合には、固定金具１７が熱橋として作用するのを更に確実に防止することができ、外壁３５の断熱性を確保することができ、結露やカビの発生を確実に防止することができる。
【００４９】
さらに、必要に応じて、外側型枠１の型枠部材２の内側に断熱材１２を設けることにより、寒冷地においても、外壁３５の断熱性を確保することができ、結露やカビの発生を確実に防止することができる。
【符号の説明】
【００５０】
１  外側型枠
２  型枠部材
３  外壁パネル
４  補強板
５  上板
６  下板
７  左側板
８  右側板
９  ボルト挿通用孔
１０  補強リブ
１１  節部
１２  断熱材
１３  ボルト
１４  ナット
１５  ワッシャ
１６  連結手段
１７  固定金具
１８  基部
１９  セパレータ挿通用孔
２０  取付部
２１  ボルト挿通用孔
２２  セパレータ
２４  固定ナット
２５  フォームタイ
２６  プラスチックコーン
２７  断熱パイプ
２８  塩化ビニル管
２９  発泡断熱材
３０  コンクリート
３１  内側型枠
３５  外壁
４０  基礎
【図１】
2013002142.tif 000003
【図２】
2013002142.tif 000004
【図３】
2013002142.tif 000005